(57)【要約】【課題】本発明は行政地域の間のユーザー流動情報を取得する方法及び装置を公開して、前記方法は、携帯電話ユーザー流動情報を統計する時間範囲内で、行政地域に進入する携帯電話より発信される位置更新リクエストの最後の有効的な位置情報及び対応する国際移動ユーザー識別コードＩＭＳＩ_ＬＵＰ情報、及び前記行政地域位置エリアコードＬＡＣ_ＣＯＮＦの集合を利用して、前記行政地域に進入する携帯電話ユーザーを統計して、携帯電話ユーザー流動情報を統計する時間範囲内で、行政地域内のすべてのホームロケーションレジスタＨＬＲより送信される取り消し位置メッセージの国際移動ユーザー識別コードＩＭＳＩ_ＬＣ情報を利用して前記行政地域から離脱する携帯電話ユーザーを統計することを含む。本発明は市の間、省の間と国の間の国際移動ユーザー流動情况をより正確に取得できる。
2015534146.tif 000002
【特許請求の範囲】
【請求項１】
行政地域の間の携帯電話ユーザーの流動情報を取得する方法であって、この方法は、
携帯電話ユーザー流動情報を統計する時間範囲以内で、行政地域に進入する携帯電話より発信される位置更新リクエストの最後の有効的な位置情報及び対応する国際移動ユーザー識別コードＩＭＳＩ_ＬＵＰ情報、及び前記行政地域位置エリアコードＬＡＣ_ＣＯＮＦの集合を利用して、前記行政地域に進入する携帯電話ユーザーを統計することと、
前記携帯電話ユーザー流動情報を統計する時間範囲以内で、前記行政地域内のすべてのホームロケーションレジスタＨＬＲより送信される取り消し位置メッセージの国際移動ユーザー識別コードＩＭＳＩ_ＬＣ情報を利用して前記行政地域から離脱する携帯電話ユーザーを統計することを含むことを特徴とする方法。
【請求項２】
前記行政地域に進入する携帯電話ユーザーを統計することは、
前記ＬＡＣ_ＣＯＮＦの集合内に存在しない最後の有効的な位置情報の位置エリアコードを一つずつ検索して、ＬＡＣ_ＣＯＮＦの集合内に存在しない位置エリアコードに対応するＩＭＳＩ_ＬＵＰの携帯電話ユーザーを前記行政地域に進入するユーザーと統計することを含むことを特徴とする
請求項１に記載の方法。
【請求項３】
前記行政地域から離脱する携帯電話ユーザーを統計することは、
毎回の取り消し位置メッセージにおけるメッセージ送信時間の前のＩＭＳＩ_ＬＣが位置更新又はトラッキングエリアコード更新を行うか否かを一つずつ検索して、検索された、ＩＭＳＩ_ＬＣが更新されない携帯電話ユーザーを行政地域から離脱するユーザーと統計することを含むことを特徴とする
請求項１に記載の方法。
【請求項４】
前記位置更新リクエストの最後の有効的な位置情報及び対応するＩＭＳＩ_ＬＵＰ情報を以下方式により取得し、
前記行政地域の全体データ収集ネットワークユニット範囲内の無線サブシステムとモバイルスイッチングセンター又はモビリティ管理エンティティの間のインターフェースＡでのすべてのビジターロケーションレジスタＶＬＲをクロスする毎回の位置更新又はトラッキングエリアコード更新のプロセスを収集し記録して、携帯電話の位置更新リクエスト又はトラッキングエリアコードリクエストメッセージからメッセージ送信時間ＴＩＭＥ_ＬＵＰと位置エリアコードＬＡＣ_ＬＵＰを取得して、識別子応答メッセージからＩＭＳＩ_ＬＵＰを取得して、これより毎回の位置更新又はトラッキングエリアコード更新のＴＩＭＥ_ＬＵＰ、ＬＡＣ_ＬＵＰ及びＩＭＳＩ_ＬＵＰを含む第一リストを構築することを特徴とする
請求項１乃至３のいずれか１項に記載の方法。
【請求項５】
前記行政地域ＬＡＣ_ＣＯＮＦの集合を以下方式により取得し、
前記行政地域の全体データ収集ネットワークユニット範囲内の位置エリアコードＬＡＣ_ＣＯＮＦの集合を取得して、これよりすべての前記ＬＡＣ_ＣＯＮＦを含む第二リストを構築することを特徴とする
請求項４に記載の方法。
【請求項６】
前記行政地域に進入する携帯電話ユーザーを統計することは、
第一リストにおけるＴＩＭＥ_ＬＵＰが統計される時間範囲内のすべてのレコードを一つずつ検索して、このレコードのＬＡＣ_ＬＵＰが第二リストにおけるＬＡＣ_ＣＯＮＦ集合内に含まれるか否かを一つずつ判断して、第二リストにおけるＬＡＣ_ＣＯＮＦ集合内に含まれていないＬＡＣ_ＬＵＰに対応する携帯電話ユーザーを行政地域に進入するユーザーと統計することを特徴とする
請求項５に記載の方法。
【請求項７】
前記行政地域内のすべてのホームロケーションレジスタＨＬＲより送信される取り消し位置メッセージのＩＭＳＩ_ＬＣ情報を以下方式により取得し、
前記行政地域の全体データ収集ネットワークユニット範囲内のすべてのＨＬＲ又は所属ユーザーサーバとＶＬＲ又はモビリティ管理エンティティの間のインターフェースＤでの前記ＨＬＲ又は所属ユーザーサーバより前記ＶＬＲ又はモビリティ管理エンティティへ送信される毎回の取り消し位置メッセージを収集し記録して、毎回の取り消し位置メッセージにおけるメッセージ送信時間ＴＩＭＥ_ＬＣ及びＩＭＳＩ_ＬＣを得て、これより毎回の取り消し位置メッセージのＴＩＭＥ_ＬＣとＩＭＳＩ_ＬＣを含む第三リストを構築することを特徴とする
請求項４に記載の方法。
【請求項８】
前記行政地域から離脱する携帯電話ユーザーを統計することは、
第三リストにおける、Ｔｉｍｅ_ＣＬが統計される時間範囲内のすべてのレコードを一つずつ検索して、このレコードにおけるＩＭＳＩ_ＣＬを取出して、第一リスト内で、Ｔｉｍｅ_ＬＵＰがＴｉｍｅ_ＣＬ-Δｔ-Ｔｃ２ｌとＴｉｍｅ_ＣＬ-Δｔの間の時間範囲内のすべてのレコードにこのＩＭＳＩ_ＣＬと対応するＩＭＳＩ_ＬＵＰが存在するか否かをチェックして、存在しない場合、このＩＭＳＩ_ＣＬに対応するユーザーを前記行政地域から離脱するユーザーと統計することを含み、
前記Δｔが前記インターフェースＡと前記インターフェースＤのクロック差であって、前記Ｔｃ２ｌが前記インターフェースＡでの位置変更リクエストと前記インターフェースＤでの取り消し位置メッセージの間の最大シグナリング時間差であることを特徴とする
請求項７に記載の方法。
【請求項９】
行政地域の間の携帯電話ユーザーの流動情報を取得する装置であって、この装置は、
携帯電話ユーザー流動情報を統計する時間範囲内で、行政地域に進入する携帯電話より発信される位置更新リクエストの最後の有効的な位置情報及び対応する国際移動ユーザー識別コードＩＭＳＩ_ＬＵＰ情報、及び前記行政地域位置エリアコードＬＡＣ_ＣＯＮＦの集合を利用して、前記行政地域に進入する携帯電話ユーザーを統計するように配置される行政地域進入ユーザー取得モジュールと、
携帯電話ユーザー流動情報を統計する時間範囲内で、行政地域内のすべてのホームロケーションレジスタＨＬＲより送信される取り消し位置メッセージの国際移動ユーザー識別コードＩＭＳＩ_ＬＣ情報を利用して前記行政地域から離脱する携帯電話ユーザーを統計するように配置される行政地域離脱ユーザー取得モジュールとを含むことを特徴とする装置。
【請求項１０】
前記行政地域進入ユーザー取得モジュールは
前記ＬＡＣ_ＣＯＮＦの集合内に存在しない最後の有効的な位置情報の位置エリアコードを一つずつ検索するように配置される第一検索モジュールと、
前記ＬＡＣ_ＣＯＮＦの集合内に存在しない位置エリアコードに対応するＩＭＳＩ_ＬＵＰの携帯電話ユーザーを前記行政地域に進入するユーザーと統計するように配置される第一統計モジュールとを含み、
前記の行政地域離脱ユーザー取得モジュールは、
毎回の取り消し位置メッセージにおけるメッセージ送信時間の前のＩＭＳＩ_ＬＣが位置更新又はトラッキングエリアコード更新を行うか否かを一つずつ検索するように配置される第二検索モジュールと、
検索された、ＩＭＳＩ_ＬＣが更新されない携帯電話ユーザーを行政地域から離脱するユーザーと統計するように配置される第二統計モジュールとを含むことを特徴とする
請求項９に記載の装置。
【発明の詳細な説明】
【技術分野】
【０００１】
本発明は人間の流動情報を統計する技術分野に関して、特に移動通信技術を利用して行政地域の間のユーザー流動情報を取得する方法及び装置に関する。
【背景技術】
【０００２】
交通施設が世界的に発達し続ける現在で、経済の高速的な発展と伴って、異なる地域の間の人口流動が非常に頻繁だが、現在は異なる地域の人間流動情報を統計する有効的な手段がない。現在の大まかに行政地域を出入りする人間を取得できる方法は、主に、
１、フライトと鉄道、長距離バス、船の乗客情報を照会する方法により、空港、鉄道駅、長距離バス駅、ポート駅から行政地域を出入りする人間を取得することと、
２、人口調査の方法により、地元人間と外来人間を取得することを含む。
【０００３】
異なる地域の間の人口の流動は、航空、鉄道、長距離バス、船などの営利性ツールを搭乗できる以外に、自動車、トラック、モーターサイクルなどの非営利ツールも搭乗でき、人間が非営利ツールを搭乗する情况に対して、通常の手段によりこれらの行政地域を出入りする人間情報を取得できないので、上記第一種類の方法を採用して統計される情報が十分に正確ではなく、上記第二種類の人口調査の方法は相対的に正確であるが、毎回の人口調査を行う周期が長すぎて、一般的に数年以上を掛かって、行政地域を出入りする人間情報を動的に取得できず、日常統計のリクエストを満足できない。
【０００４】
移動通信の発展と伴って、携帯電話はすでに成人ごとの標準的な装備になって、中国国内を例にして、２０１２年４月までに、携帯電話のユーザーが１０億のユーザーを超えて、成人の携帯電話普及率が１００%に近い。これは移動通信技術を基づいて行政地域の間の流動人間情報を取得することに基礎を提供する。
【０００５】
ＩＭＳＩ（Ｉｎｔｅｒｎａｔｉｏｎａｌ  Ｍｏｂｉｌｅ  Ｓｕｂｓｃｒｉｂｅｒ Ｉｄｅｎｔｉｔｙ、国際移動ユーザー識別コード）が、移動ユーザーを識別するためのものであり、ＳＩＭ（Ｓｕｂｓｃｒｉｂｅｒ Ｉｄｅｎｔｉｔｙ Ｍｏｄｕｌｅ、サブスクライバ識別モジュール）カード、ＨＬＲ（Ｈｏｍｅ Ｌｏｃａｔｉｏｎ Ｒｅｇｉｓｔｅｒ：ホームロケーションレジスタ）とＶＬＲ（Ｖｉｓｉｔｏｒ Ｌｏｃａｔｉｏｎ Ｒｅｇｉｓｔｅｒ：ビジターロケーションレジスタ）にそれぞれ保存される。
【０００６】
ＨＬＲはホームロケーションレジスタであって、移動ユーザー管理を担い、管理するユーザーの契約データ及び移動ユーザーの位置情報を記憶する。ユーザーのＩＭＳＩ、ＭＳＩＳＤＮ(Ｍｏｂｉｌｅ Ｓｕｂｓｃｒｉｂｅｒ Ｉｎｔｅｒｎａｔｉｏｎａｌ ＩＳＤＮ/ＰＳＴＮ Ｎｕｍｂｅｒ、モバイルサブスクライバ国際ＩＳＤＮ / ＰＳＴＮ番号)、ユーザー所属のＭＳＣ（Ｍｏｂｉｌｅ Ｓｗｉｔｃｈｉｎｇ Ｃｅｎｔｅｒ：モバイルスイッチングセンター）/ＶＬＲなどの情報を含む。
【０００７】
ＶＬＲがビジターロケーションレジスタであって、管理する区域におけるすべての移動局の情報を記憶する。ユーザーのＩＭＳＩ、ＭＳＩＳＤＮ、ＴＭＳＩ（Ｔｅｍｐｏｒａｒｙ Ｍｏｂｉｌｅ Ｓｕｂｓｃｒｉｂｅｒ Ｉｄｅｎｔｉｆｉｃａｔｉｏｎ：一時移動ユーザー識別子）、移動局登録所属の位置区、補充サービスパラメーターなどを含む。
【０００８】
ＬＡＣ（Ｌｏｃａｔｉｏｎ Ａｒｅａ Ｃｏｄｅ：位置エリアコード）が、ある地理区域をカバーして、ＬＡＣ区画を大きくしても小さくしてもよく、一般的に呼出量と行政地域に従って区画される。
【０００９】
従来の移動通信システムにおいて、市行政地域に対して、ＬＡＣ、ＭＳＣ、ＶＬＲ、ＨＬＲの間のネットワークユニットの対応関係が下記のようである。
【００１０】
１）ＭＳＣとＶＬＲが一対一に対応する。
【００１１】
２）一つの市行政地域が一つ又は複数のＬＡＣ区域を含み、一つのＬＡＣが二つの市行政地域をクロスする情况が存在しない。
【００１２】
３）一つの市行政地域が一つ又は複数のＨＬＲを含み、一つのＨＬＲは二つの市行政地域をクロスする情况が存在しない。
【００１３】
４）一つの市行政地域が一つ又は複数のＭＳＣ/ＶＬＲを含み、一つのＭＳＣ/ＶＬＲは二つの市行政地域をクロスする情况が存在しない。
【００１４】
移動局は、待機中、位置区域は変化があることを検出すると、ネットワークへ位置更新プロセスを始動して、移動局はまずネットワークへＬｏｃａｔｉｏｎ Ｕｐｄａｔｅ Ｒｅｑｕｅｓｔ（位置更新リクエスト）メッセージを送信して、ユーザーの最後の有効なＴＭＳＩ（Ｔｅｍｐｏｒａｒｙ Ｍｏｂｉｌｅ Ｓｕｂｓｃｒｉｂｅｒ Ｉｄｅｎｔｉｔｙ：一時移動ユーザー識別コード）と最後の有効なＬＡＩ（Ｌｏｃａｔｉｏｎ Ａｒｅａ Ｉｄｅｎｔｉｔｙ：位置エリア識別コード）、及び位置更新のタイプを含む。位置エリア変化による位置更新の原因が「Ｎｏｒｍａｌ」である。
【００１５】
ＴＭＳＩがＶＬＲより割り当てられる。
【００１６】
ＬＡＩが位置エリア識別コードであって、移動ユーザーの位置更新に用いられて、ＬＡＩ＝ＭＣＣ＋ＭＮＣ＋ＬＡＣを含む。ここで、ＭＣＣがモバイル国コードであって、異なる国家を識別することに用いられて、例えば、中国のＭＣＣが４６０である。ＭＮＣがモバイルネットワークコードであって、一つの国家内の異なるオペレーターを識別することに用いられて、例えば、中国移動のＭＮＣが００であって、中国聯通（ｃｈｉｎａ  Ｕｎｉｃｏｍ）のＭＮＣが０１である。
【００１７】
ＶＬＲがＴＭＳＩとＬＡＩに従ってＩＭＳＩを識別して、ユーザーが一つのＶＬＲに管理される区域から新しいＶＬＲに管理される区域に進入した後で、新しいＶＬＲにこのＴＭＳＩとＬＡＩが存在しない場合、移動局へＩｄｅｎｔｉｔｙ Ｒｅｑｕｅｓｔ（識別子リクエスト）メッセージを送信して、移動局がＩＭＳＩを送信することを要求する。移動局がＩｄｅｎｔｉｔｙ Ｒｅｓｐｏｎｓｅ（識別子応答）メッセージにおいて自分のＩＭＳＩを携帯して新しいＶＬＲへ送信する。
【００１８】
新しいＶＬＲが移動局のＩＭＳＩを一旦特定すると、この移動局が既にこのＶＬＲに管理される区域に進入したことを、移動局が所属するＨＬＲへ通知して、ＨＬＲがこの移動局の位置情報をこのＶＬＲの情報に更新して、同時にＣａｎｃｅｌ Ｌｏｃａｔｉｏｎメッセージ（この移動局のＩＭＳＩを含む）を使って移動局所属の元ＶＬＲへこの移動局の情報を削除することを通知する。
【００１９】
その後で、新しいＶＬＲが移動局へ新しいＴＭＳＩを割り当て、Ｌｏｃａｔｉｏｎ Ｕｐｄａｔｅ Ａｃｃｅｐｔ（位置更新受付）メッセージにおいて新しいＴＭＳＩと新しいＬＡＩを移動局へ送信する。
【００２０】
移動局が受信した後で、ＴＭＳＩ Ｒｅａｌｌｏｃａｔｉｏｎ Ｃｏｍｐｌｅｔｅ（ＴＭＳＩ再割当完了）を使って応答して、今回の位置更新プロセスを完了する。
【００２１】
行政地理区域とＶＬＲの関係に従ってわかるのは、市級以上の地理区域をクロスする位置更新が必ずＶＬＲをクロスする正常な位置更新であることである。
【００２２】
ＶＬＲをクロスする位置更新は、位置更新の原因が「Ｎｏｒｍａｌ」であって、且つＬｏｃａｔｉｏｎ Ｕｐｄａｔｅ Ｒｅｑｕｅｓｔメッセージに携帯されるユーザー識別子がＴＭＳＩとＬＡＩであって、且つ位置更新プロセスにおいてＶＬＲが移動局へＩｄｅｎｔｉｔｙ Ｒｅｑｕｅｓｔを送信して、移動局に対してＩＭＳＩをリクエストして、且つ移動局がＩｄｅｎｔｉｔｙ Ｒｅｓｐｏｎｓｅにおいて自分のＩＭＳＩを携帯してＶＬＲへ送信することを特徴とする。
【００２３】
位置更新プロセスは、図１に示されるようである。
【００２４】
ＤインターフェースがＨＬＲとＶＬＲの間のインターフェースであって、ＨＬＲとＶＬＲの間のメッセージを携帯することを担う。
【００２５】
ＡインターフェースがＧＳＭ（登録商標）システムのインターフェースであって、ＭＳＣとＢＳＣの間のインターフェースであって、ＭＳＣとＢＳＣの間のメッセージを携帯することを担う。
【００２６】
ＩｕインターフェースがＷＣＤＭＡ（登録商標）とＴＤ-ＳＣＤＭＡシステムのインターフェースであって、ＭＳＣとＲＮＣの間のインターフェースであって、ＭＳＣとＲＮＣの間のメッセージを携帯することを担う。
【００２７】
ＵｍインターフェースがＧＳＭ制式移動局とＧＳＭ無線サブシステムの間のインターフェースであって、移動局と無線サブシステムの間のメッセージを携帯することを担う。
【００２８】
ＵｕインターフェースがＷＣＤＭＡとＴＤ-ＳＣＤＭＡ制式移動局とＷＣＤＭＡとＴＤ-ＳＣＤＭＡ無線サブシステムの間のインターフェースであって、移動局と無線サブシステムの間のメッセージを携帯することを担う。
【００２９】
Ｄインターフェース、Ａインターフェース、Ｉｕインターフェース、Ｕｍインターフェース及びＵｕインターフェースが移動通信ネットワークにおける位置が図１に示される。
【００３０】
ホームロケーションレジスタとビジターロケーションレジスタの間のインターフェースでのＣａｎｃｅｌ Ｌｏｃａｔｉｏｎと無線サブシステムとモバイルスイッチングセンターの間のインターフェースでのＬｏｃａｔｉｏｎ Ｕｐｄａｔｅ Ｒｅｑｕｅｓｔが同一のインターフェースで送信されないので、Ｃａｎｃｅｌ ＬｏｃａｔｉｏｎとＬｏｃａｔｉｏｎ Ｕｐｄａｔｅ Ｒｅｑｕｅｓｔの二つのシグナリングの時間差を直接に取得することが難しい。
【００３１】
図１からわかるのは、無線サブシステムとモバイルスイッチングセンターの間のインターフェースのＬｏｃａｔｉｏｎ Ｕｐｄａｔｅ Ａｃｃｅｐｔ（位置更新受付）メッセージがホームロケーションレジスタとビジターロケーションレジスタの間のインターフェースでのＣａｎｃｅｌ Ｌｏｃａｔｉｏｎの後にあり、これにより、Ｌｏｃａｔｉｏｎ Ｕｐｄａｔｅ Ａｃｃｅｐｔ（位置更新受付）メッセージからＬｏｃａｔｉｏｎ Ｕｐｄａｔｅ Ｒｅｑｕｅｓｔメッセージまでの時間差がＣａｎｃｅｌ ＬｏｃａｔｉｏｎメッセージからＬｏｃａｔｉｏｎ Ｕｐｄａｔｅ Ｒｅｑｕｅｓｔメッセージまでのシグナリング時間差より大きいことが分かる。
【００３２】
ＦＤＤ-ＬＴＥとＴＤＤ-ＬＴＥネットワークに対して、本発明に関連する相違は主に以下のようである。
【００３３】
ＬＴＥネットワークにおけるネットワークユニットＨＳＳ（Ｈｏｍｅ Ｓｕｂｓｃｒｉｂｅｒ Ｓｅｒｖｅｒ：所属サブスクライバサーバ）がＧＳＭ/ＷＣＤＭＡ/ＴＤ-ＳＣＤＭＡにおけるＨＬＲに相当する。
【００３４】
ＬＴＥネットワークにおけるＴＡＣ（Ｔｒａｃｋｉｎｇ Ａｒｅａ Ｃｏｄｅ：トラッキングエリアコード）がＧＳＭ/ＷＣＤＭＡ/ＴＤ-ＳＣＤＭＡネットワークにおけるＬＡＣに相当する。
【００３５】
ＬＴＥネットワークにおけるＴｒａｃｋｉｎｇ Ａｒｅａ ＵｐｄａｔｅがＧＳＭ/ＷＣＤＭＡ/ＴＤ-ＳＣＤＭＡネットワークにおけるＬｏｃａｔｉｏｎ Ｕｐｄａｔｅに相当する。
【００３６】
ＬＴＥネットワークには、ＣＳドメインのＭＳＣ/ＶＬＲがない。そのＭＭＥ（Ｍｏｂｉｌｉｔｙ Ｍａｎａｇｅｍｅｎｔ Ｅｎｔｉｔｙ：モビリティ管理エンティティ）が２Ｇと３ＧのＰＳドメインのＳＧＳＮの機能に相当する。
【００３７】
ＦＤＤ-ＬＴＥネットワークとＴＤＤ-ＬＴＥネットワークのトラッキングエリアコード更新プロセスが図８に示される。
【００３８】
上記説明により、移動通信技術に基づいて行政地域の間のユーザー流動情報を取得して、行政地域の間の人間流動情報を取得する正確性を高めることが考えられるが、現在は移動通信技術に基づいて行政地域の間のユーザー流動情報を取得する関連技術方案はまだ提案されていない。
【発明の概要】
【発明が解決しようとする課題】
【００３９】
本発明の目的は、行政地域の間のユーザー流動情報を取得する方法及び装置を提供して、従来の技術に存在する行政地域の間の人間流動情報を正確に取得できない課題を解決することにある。
【００４０】
本発明の実施例の一つの見地より、行政地域の間の携帯電話ユーザーの流動情報を取得する方法を提供して、この方法は、
携帯電話ユーザー流動情報を統計する時間範囲以内で、行政地域に進入する携帯電話から発信される位置更新リクエストの最後の有効的な位置情報及び対応する国際移動ユーザー識別コードＩＭＳＩ_ＬＵＰ情報、及び前記行政地域位置エリアコードＬＡＣ_ＣＯＮＦの集合を利用して、前記行政地域に進入する携帯電話ユーザーを統計することと、
携帯電話ユーザー流動情報を統計する時間範囲以内で、行政地域内のすべてのホームロケーションレジスタＨＬＲから送信される取り消し位置メッセージの国際移動ユーザー識別コードＩＭＳＩ_ＬＣ情報を利用して前記行政地域から離脱する携帯電話ユーザーを統計することを含む。
【００４１】
好ましくは、前記行政地域に進入する携帯電話ユーザーを統計することは、前記ＬＡＣ_ＣＯＮＦの集合内に存在しない最後の有効的な位置情報の位置エリアコードを一つずつ検索して、ＬＡＣ_ＣＯＮＦの集合内に存在しない位置エリアコードに対応するＩＭＳＩ_ＬＵＰの携帯電話ユーザーを前記行政地域に進入するユーザーと統計することを含む。
【００４２】
好ましくは、前記行政地域から離脱する前記携帯電話ユーザーを統計することは、毎回の取り消し位置メッセージにおけるメッセージ送信時間の前のＩＭＳＩ_ＬＣが位置更新又はトラッキングエリアコード更新を行うか否かを一つずつ検索して、検索された、ＩＭＳＩ_ＬＣが更新されない携帯電話ユーザーを行政地域から離脱するユーザーと統計することを含む。
【００４３】
好ましくは、前記の位置更新リクエストの最後の有効的な位置情報及び対応するＩＭＳＩ_ＬＵＰ情報は、以下の方式により取得される。
【００４４】
前記行政地域の全体データ収集ネットワークユニット範囲内の無線サブシステムとモバイルスイッチングセンター又はモビリティ管理エンティティの間のインターフェースＡでのすべてのビジターロケーションレジスタＶＬＲをクロスする毎回の位置更新又はトラッキングエリアコード更新のプロセスを収集し記録して、携帯電話の位置更新リクエスト又はトラッキングエリアコードリクエストメッセージからメッセージ送信時間ＴＩＭＥ_ＬＵＰと位置エリアコードＬＡＣ_ＬＵＰを取得して、識別子応答メッセージからＩＭＳＩ_ＬＵＰを取得して、これより毎回の位置更新又はトラッキングエリアコード更新のＴＩＭＥ_ＬＵＰ、ＬＡＣ_ＬＵＰ及びＩＭＳＩ_ＬＵＰを含む第一リストを構築する。
【００４５】
好ましくは、前記行政地域ＬＡＣ_ＣＯＮＦの集合を、以下の方式により取得する。
【００４６】
前記行政地域の全体データ収集ネットワークユニット範囲内の位置エリアコードＬＡＣ_ＣＯＮＦの集合を取得して、これよりすべての前記ＬＡＣ_ＣＯＮＦを含む第二リストを構築する。
【００４７】
好ましくは、前記行政地域に進入する携帯電話ユーザーを統計することは、第一リストにおける、ＴＩＭＥ_ＬＵＰが統計される時間範囲内のすべてのレコードを一つずつ検索して、このレコードのＬＡＣ_ＬＵＰが第二リストにおけるＬＡＣ_ＣＯＮＦ集合内に含まれるか否かを一つずつ判断して、第二リストにおけるＬＡＣ_ＣＯＮＦ集合内に含まれていないＬＡＣ_ＬＵＰに対応する携帯電話ユーザーを行政地域に進入するユーザーと統計することを含む。
【００４８】
好ましくは、行政地域内のすべてのＨＬＲより送信される取り消し位置メッセージのＩＭＳＩ_ＬＣ情報を、以下の方式により取得する。
【００４９】
前記行政地域の全体データ収集ネットワークユニット範囲内のすべてのＨＬＲ又は所属ユーザーサーバとＶＬＲ又はモビリティ管理エンティティの間のインターフェースＤでの前記ＨＬＲ又は所属ユーザーサーバより前記ＶＬＲ又はモビリティ管理エンティティへ送信される毎回の取り消し位置メッセージを収集し記録して、毎回の取り消し位置メッセージにおけるメッセージ送信時間ＴＩＭＥ_ＬＣ及びＩＭＳＩ_ＬＣを得て、これより毎回の取り消し位置メッセージのＴＩＭＥ_ＬＣとＩＭＳＩ_ＬＣを含む第三リストを構築する。
【００５０】
好ましくは、前記行政地域から離脱する携帯電話ユーザーを統計することは、第三リストにおけるＴｉｍｅ_ＣＬが統計される時間範囲内のすべてのレコードを一つずつ検索して、このレコードにおけるＩＭＳＩ_ＣＬを取出して、第一リスト内で、Ｔｉｍｅ_ＬＵＰがＴｉｍｅ_ＣＬ-Δｔ-Ｔｃ２ｌとＴｉｍｅ_ＣＬ-Δｔの間の時間範囲内のすべてのレコードにこのＩＭＳＩ_ＣＬと対応するＩＭＳＩ_ＬＵＰがあるか否かをチェックして、ない場合、このＩＭＳＩ_ＣＬに対応するユーザーを前記行政地域から離脱するユーザーと統計することを含み、
この中で、前記Δｔが、前記インターフェースＡと前記インターフェースＤのクロック差であって、前記Ｔｃ２ｌが前記インターフェースＡでの位置変更リクエストと前記インターフェースＤでの取り消し位置メッセージの間の最大シグナリング時間差である。
【００５１】
本発明の実施例のもう一つの見地より、行政地域の間の携帯電話ユーザーの流動情報を取得する装置を提供し、この装置は、
携帯電話ユーザー流動情報を統計する時間範囲以内で、行政地域に進入する携帯電話から発信される位置更新リクエストの最後の有効的な位置情報及び対応する国際移動ユーザー識別コードＩＭＳＩ_ＬＵＰ情報、及び前記行政地域位置エリアコードＬＡＣ_ＣＯＮＦの集合を利用して、前記行政地域に進入する携帯電話ユーザーを統計するように配置される行政地域進入ユーザー取得モジュールと、
携帯電話ユーザー流動情報を統計する時間範囲以内で、行政地域内のすべてのホームロケーションレジスタＨＬＲから送信される取り消し位置メッセージの国際移動ユーザー識別コードＩＭＳＩ_ＬＣ情報を利用して前記行政地域から離脱する携帯電話ユーザーを統計するように配置される行政地域離脱ユーザー取得モジュールとを含む。
【００５２】
好ましくは、前記行政地域進入ユーザー取得モジュールは、前記ＬＡＣ_ＣＯＮＦの集合内に存在しない最後の有効的な位置情報の位置エリアコードを一つずつ検索するように配置される第一検索モジュールと、ＬＡＣ_ＣＯＮＦの集合内に存在しない位置エリアコードに対応するＩＭＳＩ_ＬＵＰの携帯電話ユーザーを前記行政地域に進入するユーザーと統計するように配置される第一統計モジュールとを含む。
【００５３】
好ましくは、前記の行政地域離脱ユーザー取得モジュールは、毎回の取り消し位置メッセージにおけるメッセージ送信時間の前のＩＭＳＩ_ＬＣが位置更新又はトラッキングエリアコード更新を行うか否かを一つずつ検索するように配置される第二検索モジュールと、検索された、ＩＭＳＩ_ＬＣが更新されない携帯電話ユーザーを行政地域から離脱するユーザーと統計するように配置される第二統計モジュールとを含む。
【００５４】
本発明の実施例はユーザーが統計区域内で位置更新又はトラッキングエリアコード更新を行う時に報告する位置エリア識別コード又はトラッキングエリアコード識別コードが統計区域に所属する位置エリア識別コード又はトラッキングエリアコード識別コード集合内に存在するか否かをチェックして、行政地域進入ユーザー情報を取得する。取り消し位置メッセージにおける国際移動ユーザー識別コードを取り出して、この国際移動ユーザー識別コードが取り消し位置メッセージ時間前に統計区域内で位置更新又はトラッキングエリアコード更新を行うか否かをチェックすることより、行政地域離脱ユーザー情報を取得する。これにより、本発明の実施例は市の間、省の間及び国の間の国際移動ユーザー流動情况をより正確に取得できる。また、本発明の実施例が現在の基幹回線網と無線アクセスネットワークに対していずれかの改修を行う必要がないので、極大にオペレーターの投資コストが節約される。
【図面の簡単な説明】
【００５５】
【図１】ＶＬＲをクロスする位置更新のプロセスである。
【図２】本発明の実施例の行政地域の間の携帯電話ユーザーの流動情報を取得する方法の模式図である。
【図３】本発明の実施例の行政地域の間の携帯電話ユーザーの流動情報を取得する装置の模式図である。
【図４】本発明の実施例のＶＬＲをクロスする位置更新のプロセスから必要な情報を取り出す過程の模式図である。
【図５】本発明の実施例のＶＬＲをクロスする位置更新のプロセスから必要な情報を取り出す過程の模式図である。
【図６】本発明の実施例のＧＳＭ、ＷＣＤＭＡとＴＤ-ＳＣＤＭＡネットワークが行政地域進入ユーザー数統計とユーザーリストを取得するフローチャートである。
【図７】本発明の実施例のＧＳＭ、ＷＣＤＭＡ、ＴＤ-ＳＣＤＭＡ、ＦＤＤ-ＬＴＥとＴＤＤ-ＬＴＥネットワークが行政地域離脱ユーザー数統計とユーザーリストを取得するフローチャートである。
【図８】ＭＭＥをクロスするトラッキングエリアコード更新のプロセスの模式図である。
【図９】本発明の実施例のＭＭＥをクロスするトラッキングエリアコード更新プロセスから必要な情報を取り出す過程の模式図である。
【図１０】本発明の実施例のＭＭＥをクロスするトラッキングエリアコード更新プロセスから本発明に必要な情報を取り出す過程の模式図である。
【図１１】本発明の実施例のＧＳＭ、ＷＣＤＭＡ、ＴＤ-ＳＣＤＭＡ、ＦＤＤ-ＬＴＥとＴＤＤ-ＬＴＥネットワークにおいて、行政地域進入ユーザー数統計とユーザーリストを取得するフローチャートである。
【発明を実施するための形態】
【００５６】
図２は本発明の実施例の行政地域の間の携帯電話ユーザーの流動情報を取得する方法を示し、図２に示されるように、この方法は以下ステップを含む。
【００５７】
携帯電話ユーザー流動情報を統計する時間範囲以内で、行政地域に進入する携帯電話より発信される位置更新リクエストの最後の有効的な位置情報及び対応する国際移動ユーザー識別コードＩＭＳＩ_ＬＵＰ情報、及び前記行政地域位置エリアコードＬＡＣ_ＣＯＮＦの集合を利用して、前記行政地域に進入する携帯電話ユーザーを統計する。
【００５８】
携帯電話ユーザー流動情報を統計する時間範囲以内で、行政地域内のすべてのホームロケーションレジスタＨＬＲより送信される取り消し位置メッセージの国際移動ユーザー識別コードＩＭＳＩ_ＬＣ情報を利用して前記行政地域から離脱する携帯電話ユーザーを統計する。
【００５９】
ここで、上記の前記行政地域に進入する携帯電話ユーザーを統計することは、前記ＬＡＣ_ＣＯＮＦの集合内に存在しない最後の有効的な位置情報の位置エリアコードを一つずつ検索して、ＬＡＣ_ＣＯＮＦの集合内に存在しない位置エリアコードに対応するＩＭＳＩ_ＬＵＰの携帯電話ユーザーを前記行政地域に進入するユーザーと統計することを含む。
【００６０】
ここで、上記の前記行政地域から離脱する携帯電話ユーザーを統計することは、毎回の取り消し位置メッセージにおけるメッセージ送信時間の前のＩＭＳＩ_ＬＣが位置更新又はトラッキングエリアコード更新を行うか否かを一つずつ検索して、検索された、ＩＭＳＩ_ＬＣが更新されない携帯電話ユーザーを行政地域から離脱するユーザーと統計することを含む。
【００６１】
図４と図９に示すように、上記の位置更新リクエストの最後の有効的な位置情報及び対応するＩＭＳＩ_ＬＵＰ情報は、以下の方式により取得される。
【００６２】
前記行政地域の全体データ収集ネットワークユニット範囲内の無線サブシステムとモバイルスイッチングセンター又はモビリティ管理エンティティの間のインターフェースＡでのすべてのビジターロケーションレジスタＶＬＲをクロスする毎回の位置更新又はトラッキングエリアコード更新のプロセスを収集し記録して、携帯電話の位置更新リクエスト又はトラッキングエリアコードリクエストメッセージからメッセージ送信時間ＴＩＭＥ_ＬＵＰと位置エリアコードＬＡＣ_ＬＵＰを取得して、対応の識別子応答メッセージからＩＭＳＩ_ＬＵＰを取得して、これより毎回の位置更新又はトラッキングエリアコード更新のＴＩＭＥ_ＬＵＰ、ＬＡＣ_ＬＵＰ及びＩＭＳＩ_ＬＵＰを含む第一リストを構築する。
【００６３】
ここで、この第一リストにすべての位置更新又はトラッキングエリアコード更新に対応するＮ（Ｎが１より大きい整数である）個のレコードを備えて、そのレコードごとに全ての毎回の更新に対応するＴＩＭＥ_ＬＵＰ、ＬＡＣ_ＬＵＰ及びＩＭＳＩ_ＬＵＰを含む。
【００６４】
上記の行政地域ＬＡＣ_ＣＯＮＦの集合を、以下の方式により取得する。
【００６５】
前記行政地域の全体データ収集ネットワークユニット範囲内の位置エリアコードＬＡＣ_ＣＯＮＦの集合を取得して、これよりすべての前記ＬＡＣ_ＣＯＮＦを含む第二リストを構築する。
【００６６】
第一リストと第二リストを構築した後で、以下の方式により前記行政地域に進入する携帯電話ユーザーを統計できる。
【００６７】
第一リストにおける、ＴＩＭＥ_ＬＵＰが統計される時間範囲内のすべてのレコードを一つずつ検索して、このレコードのＬＡＣ_ＬＵＰが第二リストにおけるＬＡＣ_ＣＯＮＦ集合内に含まれるか否かを一つずつ判断して、第二リストにおけるＬＡＣ_ＣＯＮＦ集合内に含まれていないＬＡＣ_ＬＵＰに対応する携帯電話ユーザーを行政地域に進入するユーザーと統計する。
【００６８】
図５と図１０に示すように、上記の行政地域内のすべてのホームロケーションレジスタＨＬＲより送信される取り消し位置メッセージのＩＭＳＩ_ＬＣ情報を、以下の方式により取得できる。
【００６９】
前記行政地域の全体データ収集ネットワークユニット範囲内のすべてのＨＬＲ又は所属ユーザーサーバとＶＬＲ又はモビリティ管理エンティティの間のインターフェースＤでの前記ＨＬＲ又は所属ユーザーサーバより前記ＶＬＲ又はモビリティ管理エンティティへ送信される毎回の取り消し位置メッセージを収集し記録して、毎回の取り消し位置メッセージにおけるメッセージ送信時間ＴＩＭＥ_ＬＣ及びＩＭＳＩ_ＬＣを得て、これより毎回の取り消し位置メッセージのＴＩＭＥ_ＬＣとＩＭＳＩ_ＬＣを含む第三リストを構築する。
【００７０】
ここで、第三リストにすべての取り消し位置メッセージに対応するＫ（Ｋは１より大きい整数である）個のレコードを備えて、そのレコードごとに毎回の全ての取り消し位置メッセージに対応するＴＩＭＥ_ＬＣとＩＭＳＩ_ＬＣを含む。
【００７１】
第一リストと第三リストを構築した後で、以下方式を採用して前記行政地域から離脱する携帯電話ユーザーを統計できる。
【００７２】
第三リストにおける、Ｔｉｍｅ_ＣＬが統計される時間範囲内のすべてのレコードを一つずつ検索して、このレコードにおけるＩＭＳＩ_ＣＬを取出して、第一リスト内で、Ｔｉｍｅ_ＬＵＰがＴｉｍｅ_ＣＬ-Δｔ-Ｔｃ２ｌとＴｉｍｅ_ＣＬ-Δｔの間の時間範囲内のすべてのレコードにこのＩＭＳＩ_ＣＬと対応するＩＭＳＩ_ＬＵＰが存在するか否かをチェックして、存在しない場合、このＩＭＳＩ_ＣＬに対応するユーザーを前記行政地域から離脱するユーザーと統計し、ここで、前記Δｔが前記インターフェースＡと前記インターフェースＤのクロック差であって、この前記Ｔｃ２ｌが前記インターフェースＡでの位置変更リクエストと前記インターフェースＤでの取り消し位置メッセージの間の最大シグナリング時間差である。
【００７３】
図３は本発明の実施例の行政地域の間の携帯電話ユーザーの流動情報を取得する装置であって、図３に示すように、この装置は、
携帯電話ユーザー流動情報を統計する時間範囲以内で、行政地域に進入する携帯電話より発信される位置更新リクエストの最後の有効的な位置情報及び対応する国際移動ユーザー識別コードＩＭＳＩ_ＬＵＰ情報、及び前記行政地域位置エリアコードＬＡＣ_ＣＯＮＦの集合を利用して、前記行政地域に進入する携帯電話ユーザーを統計するように配置される行政地域進入ユーザー取得モジュールと、
携帯電話ユーザー流動情報を統計する時間範囲以内で、行政地域内のすべてのホームロケーションレジスタＨＬＲより送信される取り消し位置メッセージの国際移動ユーザー識別コードＩＭＳＩ_ＬＣ情報を利用して前記行政地域から離脱する携帯電話ユーザーを統計するように配置される行政地域離脱ユーザー取得モジュールとを含む。
【００７４】
図３に示すように、行政地域進入ユーザー取得モジュールは、具体的に、前記ＬＡＣ_ＣＯＮＦの集合内に存在しない最後の有効的な位置情報の位置エリアコードを一つずつ検索するように配置される第一検索モジュールと、ＬＡＣ_ＣＯＮＦの集合内に存在しない位置エリアコードに対応するＩＭＳＩ_ＬＵＰの携帯電話ユーザーを前記行政地域に進入するユーザーと統計するように配置される第一統計モジュールとを含む。
【００７５】
図３に示すように、行政地域離脱ユーザー取得モジュールは、具体的に、毎回の取り消し位置メッセージにおけるメッセージ送信時間の前のＩＭＳＩ_ＬＣが位置更新又はトラッキングエリアコード更新を行うか否かを一つずつ検索するように配置される第二検索モジュールと、検索された、ＩＭＳＩ_ＬＣが更新されない携帯電話ユーザーを行政地域から離脱するユーザーと統計するように配置される第二統計モジュールとを含む。
【００７６】
以下で二つの具体実施例に繋がって本発明に対してさらに説明する。
【００７７】
実施例一
本実施例は中国移動Ａ市の移動通信ネットワークを例にして、移動通信技術に基づいてこの市の中国移動ユーザーの行政地域出入ユーザー数とユーザーリスト、中国移動ユーザーの異なる地域の行政地域出入ユーザー数とユーザーリスト、中国移動ユーザーの地元行政地域出入ユーザー数とユーザーリストを取得する方法の主なステップを説明する。
【００７８】
統計する必要があるのは中国移動Ａ市支社のＧＳＭネットワークとＴＤ-ＳＣＤＭＡネットワークであると仮定すると、ＧＳＭ行政地域出入ユーザーを取得するステップが下記のようである。
【００７９】
ステップ１、統計の開始時間Ｔｓｔａｒｔと終了時間Ｔｅｎｄを設定して、行政地域進入ユーザー数Ｓ１、行政地域離脱ユーザー数Ｓ２、異なる地域の人間の行政地域進入ユーザー数Ｓ３、異なる地域の人間の行政地域離脱ユーザー数Ｓ４、地元人間行政地域進入ユーザー数Ｓ５、地元人間行政地域離脱ユーザー数Ｓ６を設定して、行政地域進入ユーザーリストＴ１、行政地域離脱ユーザーリストＴ２、異なる地域の人間の行政地域進入ユーザーリストＴ３、異なる地域の人間の行政地域離脱ユーザーリストＴ４、地元人間行政地域進入ユーザーリストＴ５、地元人間行政地域離脱ユーザーリストＴ６を設定して、Ｃａｎｃｅｌ ＬｏｃａｔｉｏｎからＬｏｃａｔｉｏｎ Ｕｐｄａｔｅ Ｒｅｑｕｅｓｔまでの最大シグナリング時間差Ｔｃ２ｌを設定する。
【００８０】
ステップ２、データ収集のネットワークユニット範囲をＡ市の全市範囲と選定する。
【００８１】
ステップ３、図４に示すように、Ａインターフェースでシグナリングを追跡する方法により、Ａ市の全ネットワーク範囲内の毎回の位置更新タイプが「Ｎｏｒｍａｌ」である位置更新メッセージを収集し記録して、Ｌｏｃａｔｉｏｎ Ｕｐｄａｔｅ Ｒｅｑｕｅｓｔメッセージの送信時間ＴＩＭＥ_ＬＵＰを得て、Ｌｏｃａｔｉｏｎ Ｕｐｄａｔｅ ＲｅｑｕｅｓｔメッセージにおけるＬＡＩを得て、さらに、ＬＡＩからＬＡＣを得て、今回の位置更新においてＩｄｅｎｔｉｔｙ Ｒｅｓｐｏｎｓｅメッセージが存在すると、Ｉｄｅｎｔｉｔｙ ＲｅｓｐｏｎｓｅメッセージからＩＭＳＩ_ＬＵＰを得て、又はＣｏｍｍｏｎ ＩＤメッセージからＩＭＳＩ_ＬＵＰを得る。表１（即ち、第一リスト）に示すようである。
【００８２】
【表１】
2015534146.tif 000003
ステップ４、ＴｓｔａｒｔとＴｅｎｄの時間範囲内で、Ａインターフェースでシグナリング追跡方法によりすべてのＶＬＲをクロスする位置更新プロセスを記録して、各ＶＬＲをクロスする位置更新プロセスにおいてＬｏｃａｔｉｏｎ Ｕｐｄａｔｅ ＡｃｃｅｐｔメッセージからＬｏｃａｔｉｏｎ Ｕｐｄａｔｅ Ｒｅｑｕｅｓｔメッセージまでの最大のシグナリング時間差を計算して、最大のシグナリング時間差値をＴｃ２ｌに賦与する。
【００８３】
ステップ５、図１に示すＡインターフェースとＤインターフェースの間のクロック差を取得して、Δｔで表示する。
【００８４】
ステップ６、図５に示すように、Ｄインターフェースでシグナリングを追跡する方法により、Ａ市のすべてのＶＬＲが受信した毎回のＣａｎｃｅｌ Ｌｏｃａｔｉｏｎメッセージを収集し記録して、各Ｃａｎｃｅｌ Ｌｏｃａｔｉｏｎメッセージにおけるメッセージ送信時間Ｔｉｍｅ_ＣＬとＩＭＳＩ_ＣＬ情報を取得する。表２（即ち、第三リスト）に示すようである。
【００８５】
【表２】
2015534146.tif 000004
ステップ７、無線ネットワーク配置情報により、Ａ市のすべてのＬＡＣ集合を取得して、表３に示すようである。
【００８６】
【表３】
2015534146.tif 000005
ステップ８、Ａ市に属するすべてのＨＬＲにおけるすべてのＩＭＳＩのリスト（即ち、第二リスト）を取得して、表４に示すようである。
【００８７】
【表４】
2015534146.tif 000006
ステップ９、設定されるＴｓｔａｒｔとＴｅｎｄの範囲内で、リスト１における、ＴＩＭＥ_ＬＵＰがＴｓｔａｒｔとＴｅｎｄの間の毎レコードを一つずつ検索して、このレコードのＬＡＣ_ＬＵＰがリスト３におけるＬＡＣ_ＣＯＮＦ集合内に含まれるか否かを一つずつ判断して、含まれない場合、Ｓ１に１を加算して、同時にこのレコードにおけるＩＭＳＩ_ＬＵＰ情報をＴ１リストに追加する。さらに、このレコードにおけるＩＭＳＩ_ＬＵＰがリスト４に含まれるか否かをチェックして、含まれない場合、Ｓ３に１を加算して、同時にこのレコードにおけるＩＭＳＩ_ＬＵＰ情報をＴ３リストに追加して、含まれる場合、Ｓ５に１を加算して、同時にこのレコードにおけるＩＭＳＩ_ＬＵＰ情報をＴ５リストに追加する。リスト１においてＴｉｍｅ_ＬＵＰがＴｓｔａｒｔとＴｅｎｄの範囲内の毎レコードを計算終了するまで、以上の処理を繰り返す。図６に示すようである。
【００８８】
ステップ１０、設定されるＴｓｔａｒｔとＴｅｎｄの範囲内で、リスト２における、Ｔｉｍｅ_ＣＬがＴｓｔａｒｔとＴｅｎｄの間の毎レコードを一つずつ検索して、このレコードにおけるＩＭＳＩ_ＣＬを取出して、リスト１内で、Ｔｉｍｅ_ＬＵＰがＴｉｍｅ_ＣＬ-Δｔ-Ｔｃ２ｌとＴｉｍｅ_ＣＬ-Δｔの間の時間範囲内のすべてのレコードにおいて、このＩＭＳＩ_ＣＬは位置更新を行うか否かをチェックして、行わない場合、Ｓ２に１を加算して、同時にこのレコードにおけるＩＭＳＩ_ＣＬ情報をＴ２リストに追加する。さらに、このレコードにおけるＩＭＳＩ_ＣＬがリスト４中に含まれるか否かをチェックして、含まれない場合、Ｓ４に１を加算して、同時にこのレコードにおけるＩＭＳＩ_ＣＬ情報をＴ４リストに追加して、含まれる場合、Ｓ６に１を加算して、同時にこのレコードにおけるＩＭＳＩ_ＬＵＰ情報をＴ６リストに追加する。リスト２においてＴｃがＴｓｔａｒｔとＴｅｎｄの範囲内の毎レコードを計算終了するまで、以上の処理を繰り返す。図７に示すようである。
【００８９】
ステップ１１、ステップ９とステップ１０におけるＳ１、Ｓ２、Ｓ３、Ｓ４、Ｓ５、Ｓ６情報を中国移動Ａ市ＧＳＭネットワーク行政地域出入ユーザー統計表に統合する。
【００９０】
ステップ１２、ＧＳＭネットワーク行政地域出入ユーザーを統計する方法に従って、中国移動Ａ市ＴＤ-ＳＣＤＭＡユーザー行政地域出入り統計表と中国移動Ａ市ＴＤ-ＳＣＤＭＡ各類ユーザー行政地域出入りＩＭＳＩリストを取得する。
【００９１】
ステップ１３、ＧＳＭとＴＤ-ＳＣＤＭＡのユーザー行政地域出入統計表を統合して、ＧＳＭとＴＤ-ＳＣＤＭＡの各類ユーザー行政地域出入りＩＭＳＩリストを統合して、表５に示す中国移動Ａ市行政地域出入ユーザー統計表と表６から表１１に示す中国移動Ａ市行政地域出入ユーザーＩＭＳＩリストを取得する。
【００９２】
【表５】
2015534146.tif 000007
【表６】
2015534146.tif 000008
【表７】
2015534146.tif 000009
【表８】
2015534146.tif 000010
【表９】
2015534146.tif 000011
【表１０】
2015534146.tif 000012
【表１１】
2015534146.tif 000013
ステップ１４、中国移動Ａ市行政地域出入ユーザーＩＭＳＩリストに従って、中国移動Ａ市オペレーターから対応するユーザー情報、例えば、電話番号、ユーザー氏名、通信アドレス等を取得する。
【００９３】
実施例二
本実施例はあるオペレーターのＢ市でのＦＤＤ_ＬＴＥネットワークを例にして、移動通信技術に基づいてこの市のこのオペレーターの、この市での行政地域出入ユーザー数とユーザーリスト、このオペレーターのこの市での異なる地域の行政地域出入ユーザー数とユーザーリスト、このオペレーターのこの市での地元行政地域出入ユーザー数とユーザーリストを取得する方法の主なステップを説明する。
【００９４】
ステップ１、統計の開始時間Ｔｓｔａｒｔと終了時間Ｔｅｎｄを設定して、行政地域進入ユーザー数Ｓ１、行政地域離脱ユーザー数Ｓ２、異なる地域の人間の行政地域進入ユーザー数Ｓ３、異なる地域の人間の行政地域離脱ユーザー数Ｓ４、地元人間行政地域進入ユーザー数Ｓ５、地元人間行政地域離脱ユーザー数Ｓ６を設定して、行政地域進入ユーザーリストＴ１、行政地域離脱ユーザーリストＴ２、異なる地域の人間の行政地域進入ユーザーリストＴ３、異なる地域の人間の行政地域離脱ユーザーリストＴ４、地元人間行政地域進入ユーザーリストＴ５、地元人間行政地域離脱ユーザーリストＴ６を設定して、Ｃａｎｃｅｌ ＬｏｃａｔｉｏｎからＬｏｃａｔｉｏｎ Ｕｐｄａｔｅ Ｒｅｑｕｅｓｔまでの最大シグナリング時間差Ｔｃ２ｌを設定する。
【００９５】
ステップ２、データ収集のネットワークユニット範囲をＢ市の全市範囲と選定する。
【００９６】
ステップ３、図９に示すように、Ｘ２インターフェースでシグナリング追跡方法により、Ｂ市全ネットワーク範囲内の毎回の位置更新タイプが「Ｎｏｒｍａｌ」である位置更新メッセージを収集し記録して、Ｔｒａｋｉｎｇ Ａｒｅａ Ｕｐｄａｔｅ Ｒｅｑｕｅｓｔメッセージの送信時間ＴＩＭＥ_ＴＵＰを得て、Ｔｒａｋｉｎｇ Ａｒｅａ Ｕｐｄａｔｅ ＲｅｑｕｅｓｔメッセージにおけるＴＡＩを得て、さらに、ＴＡＩからＴＡＣを得て、今回のトラッキングエリアコード更新にＩｄｅｎｔｉｔｙ Ｒｅｓｐｏｎｓｅメッセージが存在すると、Ｉｄｅｎｔｉｔｙ ＲｅｓｐｏｎｓｅメッセージからＩＭＳＩ_ＴＵＰを得て、又はＣｏｍｍｏｎ ＩＤメッセージからＩＭＳＩ_ＴＵＰを得る。表１２（即ち、第一リスト）に示すようである。
【００９７】
【表１２】
2015534146.tif 000014
ステップ４、ＴｓｔａｒｔとＴｅｎｄの時間範囲内で、Ｘ２インターフェースでシグナリング追跡方法により、すべてのＭＭＥをクロスするトラッキングエリアコード更新プロセスを記録して、それぞれのＭＭＥをクロスするトラッキングエリアコード更新プロセスにおける、Ｔｒａｃｋｉｎｇ Ａｒｅａ Ｕｐｄａｔｅ ＡｃｃｅｐｔメッセージからＴｒａｃｋｉｎｇ Ａｒｅａ Ｕｐｄａｔｅ Ｒｅｑｕｅｓｔメッセージまでの最大のシグナリング時間差を計算して、最大のシグナリング時間差値をＴｃ２ｌに付与する。
【００９８】
ステップ５、図８に示すＸ２インターフェースとＸ６インターフェースの間のクロック差を取得して、Δｔで表示する。
【００９９】
ステップ６、図１０に示すように、Ｘ６インターフェースでシグナリングを追跡する方法により、Ｂ市のすべてのＭＭＥが受信した毎回のＣａｎｃｅｌ Ｌｏｃａｔｉｏｎメッセージを収集し記録して、各Ｃａｎｃｅｌ Ｌｏｃａｔｉｏｎメッセージにおけるメッセージ送信時間Ｔｉｍｅ_ＣＬとＩＭＳＩ_ＣＬ情報を取得する。表１３（即ち、第三リスト）に示すようである。
【０１００】
【表１３】
2015534146.tif 000015
ステップ７、無線ネットワーク配置情報により、Ｂ市のすべてのＴＡＣ集合を取得して、表１４に示すようである。
【０１０１】
【表１４】
2015534146.tif 000016
ステップ８、Ｂ市に属するすべてのＨＳＳにおけるすべてのＩＭＳＩのリストを取得して、表１５（即ち、第二リスト）に示すようである。
【０１０２】
【表１５】
2015534146.tif 000017
ステップ９、設定されるＴｓｔａｒｔとＴｅｎｄの範囲内で、リスト１２における、ＴＩＭＥ_ＴＵＰがＴｓｔａｒｔとＴｅｎｄの間の毎レコードを一つずつ検索して、このレコードのＴＡＣ_ＴＵＰがリスト１４におけるＴＡＣ_ＣＯＮＦ集合内に含まれるか否かを一つずつ判断して、含まれない場合、Ｓ１に１を加算して、同時にこのレコードにおけるＩＭＳＩ_ＴＵＰ情報をＴ１リストに追加する。さらに、このレコードにおけるＩＭＳＩ_ＴＵＰがリスト１５に含まれるか否かをチェックして、含まれない場合、Ｓ３に１を加算して、同時にこのレコードにおけるＩＭＳＩ_ＴＵＰ情報をＴ３リストに追加して、含まれる場合、Ｓ５に１を加算して、同時にこのレコードにおけるＩＭＳＩ_ＴＵＰ情報をＴ５リストに追加する。リスト１２における、Ｔｉｍｅ_ＴＵＰがＴｓｔａｒｔとＴｅｎｄの範囲内の毎レコードを計算終了するまで、以上の処理を繰り返す。図１１に示すようである。
【０１０３】
ステップ１０、設定されるＴｓｔａｒｔとＴｅｎｄの範囲内で、リスト１３における、Ｔｉｍｅ_ＣＬがＴｓｔａｒｔとＴｅｎｄの間の毎レコードを一つずつ検索して、このレコードにおけるＩＭＳＩ_ＣＬを取出して、リスト１２内で、Ｔｉｍｅ_ＴＵＰがＴｉｍｅ_ＣＬ-Δｔ-Ｔｃ２ｌとＴｉｍｅ_ＣＬ-Δｔの間の時間範囲内のすべてのレコードに、このＩＭＳＩ_ＣＬが位置更新を行うか否かをチェックして、行わない場合、Ｓ２に１を加算して、同時にこのレコードにおけるＩＭＳＩ_ＣＬ情報をＴ２リストに追加する。さらに、このレコードにおけるＩＭＳＩ_ＣＬがリスト１５に含まれるか否かをチェックして、含まれない場合、Ｓ４に１を加算して、同時にこのレコードにおけるＩＭＳＩ_ＣＬ情報をＴ４リストに追加して、 含まれる場合、Ｓ６に１を加算して、同時にこのレコードにおけるＩＭＳＩ_ＬＵＰ情報をＴ６リストに追加する。リスト１３における、Ｔｉｍｅ_ＣＬがＴｓｔａｒｔとＴｅｎｄの範囲内の毎レコードを計算終了するまで、以上の処理を繰り返す。図７に示すようである。
【０１０４】
ステップ１１、ステップ９とステップ１０におけるＳ１、Ｓ２、Ｓ３、Ｓ４、Ｓ５、Ｓ６情報をこのオペレーターのＢ市ＦＤＤ_ＬＴＥネットワーク行政地域出入ユーザー統計表に統合する。
【０１０５】
【表１６】
2015534146.tif 000018
【表１７】
2015534146.tif 000019
【表１８】
2015534146.tif 000020
【表１９】
2015534146.tif 000021
【表２０】
2015534146.tif 000022
【表２１】
2015534146.tif 000023
【表２２】
2015534146.tif 000024
ステップ１４、このオペレーターのＢ市行政地域出入ユーザーＩＭＳＩリストに従って、このオペレーターのＢ市オペレーターから対応するユーザー情報、例えば、電話番号、ユーザー氏名、通信アドレスなどを取得する。
【０１０６】
以上は本発明の好ましい実施例に過ぎず、本発明を制限するためのものではなく、本分野の当業者により、本発明は様々な変更及び改変が可能である。本発明の精神と原則の範囲内で行ういかなる改修、均等なものとの入れ替え、改善などは、いずれも本発明の保護範囲以内に含まれる。
【産業上の利用可能性】
【０１０７】
本発明の実施例は、ユーザーが統計区域内で位置更新又はトラッキングエリアコード更新を行う時に報告する位置エリア識別コード又はトラッキングエリアコード識別コードが統計区域に所属する位置エリア識別コード又はトラッキングエリアコード識別コード集合内に存在するか否かをチェックして、行政地域進入ユーザー情報を取得する。取り消し位置メッセージにおける国際移動ユーザー識別コードを取り出して、この国際移動ユーザー識別コードが取り消し位置メッセージ時間の前に統計区域内で位置更新又はトラッキングエリアコード更新を行うか否かをチェックすることにより、行政地域離脱ユーザー情報を取得して、それにより、本発明の実施例は市の間、省の間及び国の間の国際移動ユーザー流動情况をより正確に取得できる。また、本発明の実施例によれば、現在の基幹回線アクセスネットワークと無線アクセスネットワークに対していずれかの改修を行う必要がなく、極大にオペレーターの投資コストを節約する。
【図１】
2015534146.tif 000025
【図２】
2015534146.tif 000026
【図３】
2015534146.tif 000027
【図４】
2015534146.tif 000028
【図５】
2015534146.tif 000029
【図６】
2015534146.tif 000030
【図７】
2015534146.tif 000031
【図８】
2015534146.tif 000032
【図９】
2015534146.tif 000033
【図１０】
2015534146.tif 000034
【図１１】
2015534146.tif 000035
【国際調査報告】
2015534146.tif 000036
2015534146.tif 000037
2015534146.tif 000038
2015534146.tif 000039
2015534146.tif 000040
2015534146.tif 000041